(57)【要約】【課題】  従来の卒塔婆や「キリコ」に代え、戒名、経文、梵字等を表した卒塔婆を縮小したもの、若しくは、それに代わる木札や盆の墓参りに名号又は題目、墓参者の名前を表した「キリコ」に代わる札等、供養用の札を供養用札立ての札挿し体に立てて並べても、強風時に供養用の札が飛ばされることのない札挿し体とする。【解決手段】  墓のそばに設置され、供養用の札１０を立てて並べておく、供養用札立て２に取り付けて使用される札挿し体１であって、札挿し体１は左右方向に長い底板４の両端部側に側壁５を有する略Ｕ字形の枠体６と、枠体６の側壁５間に揺動自在に設けられ、供養用の札１０を支持する支持体７を備える。支持体７は側壁５間に水平に回動可能に取り付けられた回転軸８と、回転軸８に供養用の札１０が挿通可能な間隔をおいて回転軸８と平行に固着された押え９を有する。支持体７を側壁５間に上下二段に設ける。【選択図】  図１
2005091439.tif 000002
【特許請求の範囲】
【請求項１】
墓のそばに設置され、供養用の札を立てて並べておく、供養用札立てに取り付けて使用される札挿し体であって、この札挿し体は左右方向に長い底板の両端部側に側壁を有する枠体と、この枠体の側壁間に揺動自在に設けられ、供養用の札を支持する支持体を備え、支持体は側壁間に水平に回動自在に取り付けられた回転軸と、この回転軸に供養用の札が挿通可能な間隔をおいて回転軸と平行に固着された押えを有していることを特徴とする供養用札立ての札挿し体。
【請求項２】
支持体に供養用の札が支持された時に、供養用の札の押えが当たる面と反対面の下部が当たるストッパーが底板の長手方向に設けられていることを特徴とする請求項１記載の供養用札立ての札挿し体。
【請求項３】
側壁間の上下二段に支持体が設けられていることを特徴とする請求項１又は２記載の供養用札立ての札挿し体。
【請求項４】
側壁の上下方向の中央部より上方の高さ位置の側壁間に支持体が設けられ、支持体に供養用の札が支持された時に、供養用の札の押えが当たる面と反対面の下部が当たるストッパーが底板の長手方向に設けられていることを特徴とする請求項１記載の供養用札立ての札挿し体。
【発明の詳細な説明】
【技術分野】
【０００１】
本発明は、墓のそばに設置し、戒名、経文、梵字等を表した供養用の札や、墓参りで名号又は題目、墓参者の名前等を表した供養用の札を並べるための供養用札立てに取り付けられ、供養用の札を立てて並べておく札挿し体に関するものである。
【背景技術】
【０００２】
従来、供養のため墓の後ろに戒名、経文、梵字等を記した細長い板体の卒塔婆に代え、卒塔婆を縮小したもの、若しくはそれに代わる木札や、石川県加賀地方でお盆の墓参りに名号又は題目、墓参者の名前等を表したヘギ板の屋根をつけた四角形の灯篭の「キリコ」に代え、上部に飾り屋根を設けた木製の札の表面に名号、題目等を表し、裏面に墓参人の名前を表すようにした墓参用の札等、供養用の札を墓のそばに立てて並べるための供養用札立てが本出願人が先に提案している。
【０００３】
この供養用札立ての札挿し体は、Ｕ字形の枠体の側壁間に、前後に間隔をおいて設けられた一対の横桟から構成され、枠体の底部に札の下部を支承する溝が左右方向に向け設けられているもので、供養用の札は前後一対の横桟間に挿し込み、この札の下部を底部の溝に入れることにより札を横桟に立て掛けて並べていたのである。
【０００４】
しかし、札は前後一対の横桟間に挿し込まれているだけであるため、強風時に札が横桟間から飛ばされて落下してしまう問題点が生じたのである。
【特許文献１】特願２００２ー２３２８８８
【発明の開示】
【発明が解決しようとする課題】
【０００５】
上記点より本発明は、従来の卒塔婆や「キリコ」に代え、戒名、経文、梵字等を表した卒塔婆を縮小したもの、若しくはそれに代わる木札や、盆の墓参りに名号又は題目、墓参者の名前等を表した「キリコ」に代わる札等、供養用の札を供養用札立ての札挿し体に立てて並べてても、強風時に供養用の札が飛ばされることのない札挿し体を提供しようとするものである。
【課題を解決するための手段】
【０００６】
上記課題を解決するため請求項１記載の本発明供養用札立ての札挿し体は、墓のそばに設置され、供養用の札を立てて並べておく、供養用札立てに取り付けて使用される札挿し体であって、この札挿し体は左右方向に長い底板の両端部側に側壁を有する枠体と、この枠体の側壁間に揺動自在に設けられ、供養用の札を支持する支持体を備え、支持体は側壁間に水平に回動自在に取り付けられた回転軸と、この回転軸に供養用の札が挿通可能な間隔をおいて回転軸と平行に固着された押えを有していることを特徴とするものである。
【０００７】
このような構成とすることにより、支持体を回転軸と押えが水平になるように押えを手で掴んで回動し、供養用の札を支持体の回転軸と、回転軸と平行に固着された押えの間に挿し込み手を離せば、回転軸は押えの自重により下方へ回動し、供養用の札を押えが回動方向に押すため、供養用の札は回転軸と押えにより挾持されしっかりと支持される。
又、供養用の札は支持体により挾持され、横方向に順次並べられるだけであるから、前面から表示等の確認が可能である。
【０００８】
次に、請求項２記載の本発明供養用札立ての札挿し体は、請求項１記載の供養用札立ての札挿し体において、支持体に供養用の札が支持された時に、供養用の札の押えが当たる面と反対面の下部が当たるストッパーが底板の長手方向に設けられていることを特徴とするものである。
【０００９】
このような構成とすることにより、供養用の札が支持された時に、押えの自重により供養用の札が押され、押えの回動方向に下部がズレ動き、供養用の札が傾斜することが防止され、直立した安定した支持となる。
【００１０】
次に、請求項３記載の本発明供養用札立ての札挿し体は、請求項１又は２記載の供養用札立ての札挿し体において、側壁間の上下二段に支持体が設けられていることを特徴とするものである。
【００１１】
このような構成とすることにより、供養用の札の上部と下部が挾持されるため、安定した支持となる。
【００１２】
次に、請求項４記載の本発明供養用札立ての札挿し体は、請求項１記載の供養用札立ての札挿し体において、側壁の上下方向の中央部より上方の高さ位置の側壁間に支持体が設けられ、支持体に供養用の札が支持された時に、供養用の札の押えが当たる面と反対面の下部が当たるストッパーが底板の長手方向に設けられていることを特徴とするものである。
【００１３】
このような構成とすることにより、供養用の札は上部が支持体の押えにより押され、下部が押えられた方向へズレ動こうとするが、供養用の札の下部の押え方向と反対面がストッパーに当たっているため、ズレ動くことはなく直立状態で供養用の札は安定して支持される。
【発明の効果】
【００１４】
本発明供養用札立ての札挿し体によれば、供養用の札は支持体の回転軸と押えの間に挿し込まれ、押えの自重で押さえられ、回転軸と押えに挾持された状態でしっかり支持されるため、強風時においても飛ばされ落下することが防止される。
又、供養用の札は支持体に支持された時に、押えが当たる面と反対面の下部がストッパーに当たってズレ動くことが防止されているため、直立状態で安定した支持となる。
又、供養用の札は支持体により挾持され、横方向に順次並べられるだけであるから、前面から表示等の確認が可能である。
【発明を実施するための最良の形態】
【００１５】
以下、本発明の一実施の形態を図面に基づき説明する。
図１は本発明札挿し体の使用状態を示す正面図、図２は同上の側面図、図３は同上の部分拡大縦断側面図、図４は同上の他の実施の形態を示す正面図である。
【００１６】
本発明供養用札立ての札挿し体は、墓の斜め前方や墓の横等、墓のそばに設置される供養用札立てに取り付けて使用されるものである。
図１乃至図３において、図中１は供養用札立て２の支柱３の前面に取り付けた札挿し体であり、この札挿し体１は上方へ９０°屈曲した低い前面壁４ａが長手方向に形成された左右方向に長い底板４と、底板４の両端部に下部を固着した角パイプ製の側壁５から成る略Ｕ字形の枠体６と、この枠体６の側壁５間に揺動自在に設けられた支持体７を備えている。
【００１７】
支持体７は、両端部が側壁５内に回動可能に水平に挿通された回転軸８と、この回転軸８と間隔をおいて回転軸８と平行に配置され、両端部が側壁５間の回転軸８に固着された丸棒状の押え９から構成されている。
【００１８】
回転軸８と押え９の間隔は、後に説明する供養用の札１０が余裕をもって挿し込まれる寸法となっている。
又、押え９は供養用の札１０が挿し込まれていない時は、自重で回転軸８の真下に位置している。使用時は手で押え９を掴んで手前に回動し、回転軸８と押え９を平行にし、回転軸８と押え９の間に供養用の札１０を挿し込む。
又、押え９は図面では回転軸８と同径の棒体となっているが、それよりも太くして押えを強くすることもできる。
【００１９】
支持体７は側壁５間の上下二段に設けられ、側壁５の前後の取り付け位置は側壁５の中央部より後方寄りに取り付けられている。
そして、支持体７の回転軸８の鉛直線下の底板４上に、底板４の長手方向に細長い板状のストッパー１１が直立して固着されている。
このストッパー１１により、回転軸８と押え９により挾持された供養用の札１０の下部が、押え９の回動方向にズレ動くことが防止され、直立状態で供養用の札１０が支持される。
尚、ストッパー１１は支持体７が上下二段の場合は必ずしも必要としないが、後に説明する支持体７が一箇所のみの場合は必要である。
【００２０】
１２は側壁５間の上部で、側壁５の後方寄りに渡設した横桟であり、この横桟１２は角パイプ製で両端部は側壁５に固着されている。
１３は上部が横桟１２の中央部に、下部が底板４の後端部の中央部に固着され、両側が９０°後方へ屈曲された縦長の板状の取り付け金具であり、この取り付け金具１３の上部及び下部に二個ずつ溝孔１３ａが穿設されている。溝孔１３ａは上部及び下部に一個ずつでもよい。
【００２１】
１４は供養用札立て２のパイプ製の支柱３に取り付けたボルト等の引っ掛け部材であり、溝孔１３ａに対応して上下二箇所設けられている。
この引っ掛け部材１４に取り付け金具１３の溝孔１３ａを引っ掛けることにより、札挿し体１を支柱３に着脱可能に取り付ける。
尚、札挿し体１の支柱３への取り付けは、かかる構成に限定されるものではない。又、札挿し体１は金属製であるが、プラスチック、木等材質は問わない。
【００２２】
又、供養用札立て２の支柱３の上部に灯明箱１５が固定されている。
支柱３は、その下部が基礎台に固定又は土中に埋設されたアンカーパイプ１６の外側に嵌挿され、アンカーパイプ１６の側部に貫通されたピン１７で落下を防止されているが、支柱３の固定手段はかかる構成に限定されるものではない。
【００２３】
次に、供養用の札１０は上部が山形に形成された縦長の札であり、この札１０は卒塔婆の代わりとして使用する時は、従来の卒塔婆に記される戒名、経文、梵字等が表される。この卒塔婆として使用は、継続して立て掛けるので札１０の材質は木製が好ましい。
又、供養用の札１０を盆の「キリコ」の代わりの札として使用する時は、従来の「キリコ」に記される表側に「南無阿弥陀仏」等の名号又は題目を表し、表側左隅か裏側に墓参者の名前を表す。
この盆の供養用の札としての使用は、盆の期間のみの立て掛けとなり、盆が過ぎると廃棄処分されるため、札１０の材質は木製でも良いが、厚紙製でも十分に代用可能である。    
【００２４】
次に、図４は請求項４の札挿し体を示すものであり、図４において、図１乃至図３と相当する箇所にはそれと同一符号を付してある。
この札挿し体１は、支持体７が側壁５の上下方向の中央部より上方の高さ位置の側壁５間に一箇所のみ取り付けられた場合を示している。
この場合においても、供養用の札１０は上部が支持体７の回転軸８と押え９により挾持され、下部がストッパー１１に当たって固定されるため安定した支持である。
【００２５】
以上、本発明を実施形態に基づき具体的に説明したが、本発明は上記実施形態に限定されるものではない。
【図面の簡単な説明】
【００２６】
【図１】本発明札挿し体の使用状態を示す正面図である。
【図２】本発明札挿し体の使用状態を示す側面図である。
【図３】本発明札挿し体の使用状態を示す部分拡大縦断側面図である。
【図４】本発明札挿し体の他の実施の形態を示す正面図である。
【符号の説明】
【００２７】
１  札挿し体
２  供養用札立て
３  支柱
４  底板
５  側壁
６  枠体
７  支持体
８  回転軸
９  押え
１０  供養用の札
１１  ストッパー
１２  横桟
１３  取り付け金具
１３ａ  溝孔
１４  引っ掛け部材
【図１】
2005091439.tif 000003
【図２】
2005091439.tif 000004
【図３】
2005091439.tif 000005
【図４】
2005091439.tif 000006